(57)【特許請求の範囲】
【請求項１】
電池接続端子を組付用支持材に組付けた電池接続端子の取付装置であって、
前記組付用支持材は、
相対向する面に一対の溝部をそれぞれ備えた保持リブと、
前記一対の保持リブの間に備えた押し付けリブとを有し、
前記電池接続端子は、
一端部側に配置され渦巻き形状を有し電池の−電極側と導通するコイルバネ端子部と、
前記コイルバネ端子部の外周部分に連結され、前記コイルバネ端子部の渦巻き高さ方向と逆向きに屈曲する連結部側折曲部を備える連結部と、
他端部側に配置される前記組付用支持材に形成した凹部に係合する係止片部と、
前記コイルバネ端子部の渦巻き高さ方向と逆向きに屈曲する接点端子部側折曲部を備える接点端子部と、
前記係止片部と前記接点端子部とを接続する接続部分とを有し、
前記連結部と前記接点端子部とは前記連結部側折曲部及び前記接点端子部側折曲部を継ぐ屈曲形状部を介して接続されており、
前記連結部と前記接続部分とがそれぞれ前記一対の溝部に挿入されると共に、
前記押し付けリブが前記屈曲形状部を折り曲げ方向と逆向きに矯正し、
前記押し付けリブで矯正された前記接点端子部側折曲部と前記電池の＋電極側とが導通するよう設定された電池接続端子の取付装置。
【請求項２】
前記連結部、前記屈曲形状部、前記接点端子部及び前記接続部分は、前記電池の直径方向に対して一度蛇行するような屈曲形状に形成された請求項１記載の電池接続端子の取付装置。
【請求項３】
前記溝部に沿って前記接点端子部を挿入することで前記押し付けリブの前記頂辺に当接し始める側の箇所に、前記コイルバネ端子部及び当該接点端子部を前記頂辺に導く端子部案内用の傾斜面を形成した請求項１または２何れか１項に記載の電池接続端子の取付装置。
【請求項４】
前記係止片部は前記接点端子部の蛇行形状に続いて蛇行すると共に、当該接点端子部が係合する前記一対の保持リブの間隔より外側に延長されたフック形状に形成され、前記組付用支持材に対し組付挿入する際に、当該係止片部を前記電池の軸心方向に対して案内する係止片部案内用の傾斜面を形成した請求項３に記載の電池接続端子の取付装置。
【発明の詳細な説明】
【０００１】
【発明の属する技術分野】
本発明は、電池にて駆動可能な音響機器などにおいて、電池室に並べて配置された電池の−電極側と＋電極側とを導通させる電池接続端子の取付構造に関するものである。
【０００２】
【従来の技術】
図６（ａ）〜（ｄ）は従来の電池接続端子の取付装置を示すものである。図６（ａ），（ｂ），（ｄ）に示すように、電池接続端子取付装置は、複数の電池２１にて駆動可能な音響機器のキャビネット２２により電池室２３が形成されており、電池室２３に並べて配置された電池２１の−電極２１ａ側と＋電極２１ｂ側とが導電性線材からなる電池接続端子２４により導通されている。
【０００３】
電池接続端子２４は、一端部側に配置されて電池２１の−電極２１ａに接触する渦巻き形状のコイルバネ端子部２５と、他端部側に配置されて電池の＋電極２１ｂに接触する接点端子部２６と、コイルバネ端子部２５と接点端子部２６とを一体的に連結する略Ｌ字形状の連結部２７と、接点端子部２６から延長されてキャビネット２２に係止するためのフック形状の係止部２８とからなり、これらのコイルバネ端子部２５、連結部２７、接点端子部２６および係止部２８とを、線状につないで構成されている。接点端子部２６は小さな円形に１周カールさせた形状とされ、外力を加えていない状態では、図６（ｃ）に示すように、連結部２７や係止部２８と同一面内に配置されるような形状とされている。
【０００４】
また、この電池接続端子２４を電池室２３に臨む姿勢に組付ける絶縁性の組付用支持材としてのキャビネット２２には、電池接続端子２４を保持する一対の保持リブ３１と、電池２１の電極２１ａ、２１ｂ側に向けて突設されて電池接続端子２４の接点端子部２６に当接して電池２１の＋電極２１ｂ側に押し付ける押し付けリブ３２とを形成している。対となった保持リブ３１は、これらの保持リブ３１同士が所定間隔をあけた状態で、電池２１の並べられた方向に沿って延びるように一体形成され、これらの保持リブ３１に形成された溝部３１ａに、電池接続端子２４のコイルバネ端子部２５における外周部分と、連結部２７と、接点端子部２６と係止部２８との接続部分とが、それぞれ接触した姿勢で、電池接続端子２４が挿入されて挟持されるようになっている。また、押し付けリブ３２は、対となった保持リブ３１間の中間位置で、電池２１の並べられた方向に沿って延びるように一体形成されている。
【０００５】
電池接続端子２４を電池室２３に臨む姿勢に組付ける際には、まず、コイルバネ端子部２５を保持リブ３１間に挿入し、引き続いて連結部２７と接点端子部２６とを保持リブ３１間に挿入してゆき、係止部２８を保持リブ３１の端部に係止させる。この際、コイルバネ端子部２５や接点端子部２６が押し付けリブ３２上に載るように電池接続端子２４を撓ませながら挿入していく。
【０００６】
【発明が解決しようとする課題】
このような電池接続端子取付装置においては、電池回路を構成する数個の電池の内、何個かを誤って反対に挿入した場合、電池が発熱して機器の発火に至るケースがあった。
【０００７】
この場合の対策として、従来の電池接続端子取付装置では、図６（ｄ）に示すようにコイルバネ端子２５の背面に当たるキャビネット２２の壁２２ａを薄く形成することによって、電池２１の発熱がコイルバネ端子２５に伝わってキャビネット２２の壁２２ａを溶かすと同時に、そのバネ圧でコイルバネ端子２５が壁２２ａを貫通して、電池回路が断たれるように構成していた。
【０００８】
ところが、電池２１の種類によってはコイルバネ端子２５の熱抵抗が大きいため、瞬時にはコイルバネ端子２５を赤熱しない場合が有り、コイルバネ端子２５がキャビネット２２の壁２２ａを貫通する前に、機器が発火することがあった。
【０００９】
なお、電池２１を反対に挿入した場合、電池２１から発生した熱は接点端子部２６にも伝達され、この接点端子部２６に接触する押し付けリブ３２を溶かすが、接点端子部２６が図６（ｃ）に示すような姿勢に戻った時点で、押し付けリブ３２から離れ始めるため、押し付けリブ３２から離れた段階でこの箇所の押し付けリブ３２は溶けなくなり、その結果、接点端子部２６が電池２１の＋電極２１ｂ側から離反する動作は行われない。
【００１０】
また、電池接続端子２４を保持リブ３１間に挿入して組付ける際に、コイルバネ端子部２５や接点端子部２６が押し付けリブ３２上に載るように電池接続端子２４を撓ませながら挿入しなければならないため、挿入の際に、慣れや要領を必要とし、手間や時間がかかって作業性が悪かった。
【００１１】
本発明は上記課題を解決するもので、電池の種類に左右されない発火防止機能を具備し、かつ挿入作業性の良い電池接続端子の取付装置を提供することを目的としてなされたものである。
【００１２】
【課題を解決するための手段】
上記課題を解決するために本発明の電池接続端子の取付装置は、電池接続端子を組付用支持材に組付けた電池接続端子の取付装置であって、前記組付用支持材は、相対向する面に一対の溝部をそれぞれ備えた保持リブと、前記一対の保持リブの間に備えた押し付けリブとを有し、前記電池接続端子は、一端部側に配置され渦巻き形状を有し電池の−電極側と導通するコイルバネ端子部と、前記コイルバネ端子部の外周部分に連結され、前記コイルバネ端子部の渦巻き高さ方向と逆向きに屈曲する連結部側折曲部を備える連結部と、他端部側に配置される前記組付用支持材に形成した凹部に係合する係止片部と、前記コイルバネ端子部の渦巻き高さ方向と逆向きに屈曲する接点端子部側折曲部を備える接点端子部と、前記係止片部と前記接点端子部とを接続する接続部分とを有し、前記連結部と前記接点端子部とは前記連結部側折曲部及び前記接点端子部側折曲部を継ぐ屈曲形状部を介して接続されており、前記連結部と前記接続部分とがそれぞれ前記一対の溝部に挿入されると共に、前記押し付けリブが前記屈曲形状部を折り曲げ方向と逆向きに矯正し、前記押し付けリブで矯正された前記接点端子部側折曲部と前記電池の＋電極側とが導通するよう設定されたものである。
【００１３】
この構成によれば、電池の種類に左右されない発火防止機能を具備し、かつ挿入作業性の良い電池接続端子の取付装置を提供することができる。
【００１４】
【発明の実施の形態】
本発明の請求項１に記載の電池接続端子の取付装置は、電池接続端子を組付用支持材に組付けた電池接続端子の取付装置であって、前記組付用支持材は、相対向する面に一対の溝部をそれぞれ備えた保持リブと、前記一対の保持リブの間に備えた押し付けリブとを有し、前記電池接続端子は、一端部側に配置され渦巻き形状を有し電池の−電極側と導通するコイルバネ端子部と、前記コイルバネ端子部の外周部分に連結され、前記コイルバネ端子部の渦巻き高さ方向と逆向きに屈曲する連結部側折曲部を備える連結部と、他端部側に配置される前記組付用支持材に形成した凹部に係合する係止片部と、前記コイルバネ端子部の渦巻き高さ方向と逆向きに屈曲する接点端子部側折曲部を備える接点端子部と、前記係止片部と前記接点端子部とを接続する接続部分とを有し、前記連結部と前記接点端子部とは前記連結部側折曲部及び前記接点端子部側折曲部を継ぐ屈曲形状部を介して接続されており、前記連結部と前記接続部分とがそれぞれ前記一対の溝部に挿入されると共に、前記押し付けリブが前記屈曲形状部を折り曲げ方向と逆向きに矯正し、前記押し付けリブで矯正された前記接点端子部側折曲部と前記電池の＋電極側とが導通するよう設定されたものである。
【００１５】
この構成によれば、電池が電池室に正しい方向に入れられている場合には、電池接続端子の接点端子部が押し付けリブに当接して電池の＋電極に押し付けられる。一方、電池が電池室に誤った方向に入れられて発熱すると、押し付けリブにおける電池接続端子の接点端子部に当接した部分が溶け出すこととなり、この接点端子部の電池の＋電極との接触箇所を含む部分は、電池の＋電極から離れる方向に向けて弾性変形するように曲げられているので、電池接続端子の接点端子部に当接した部分がさらに溶け、この結果、接点端子部が電池の＋電極から離れ、電池回路が断たれることとなる。
【００１６】
なお、この構成によれば、係止片部が組付用支持材の凹部に係合して、電池接続端子が保持リブ間より抜け出すことが阻止されるので信頼性が向上する。
本発明の請求項２記載の発明は、請求項１記載の電池接続端子の取付装置において、前記連結部、前記屈曲形状部、前記接点端子部及び前記接続部分は、前記電池の直径方向に対して一度蛇行するような屈曲形状に形成されたものである。
【００１７】
この構成によれば、コイルバネ端子部だけでなく接点端子部も電池の直径方向に対して弾性変形可能であるため、コイルバネ端子部や接点端子部を保持リブ間に比較的容易に挿入することができる。
【００１８】
本発明の請求項３記載の発明は、請求項１または２に記載の電池接続端子の取付装置において、前記溝部に沿って前記接点端子部を挿入することで前記押し付けリブの前記頂辺に当接し始める側の箇所に、前記コイルバネ端子部及び当該接点端子部を前記頂辺に導く端子部案内用の傾斜面を形成したものである。
【００１９】
この構成によれば、電池接続端子の組付挿入時には、電池接続端子を、保持リブ間へ挿入するだけで、端子部案内用の傾斜面によりコイルバネ端子部や接点端子部が押し付けリブの頂辺高さに導かれるため、慣れや要領を必要とすることなく電池接続端子を組付けることができ、手間や時間を最小限で済ますことができて作業性が向上する。
【００２０】
本発明の請求項４記載の発明は、請求項３に記載の電池接続端子の取付装置における係止片部は前記接点端子部の蛇行形状に続いて蛇行すると共に、当該接点端子部が係合する前記一対の保持リブの間隔より外側に延長されたフック形状に形成され、前記組付用支持材に対し組付挿入する際に、当該係止片部を前記電池の軸心方向に対して案内する係止片部案内用の傾斜面を形成したものである。
【００２１】
この構成によれば、電池接続端子の組付挿入時には、電池接続端子を保持リブ間へ挿入するだけで、電池接続端子の係止片部が係止片部案内用の傾斜面に案内されて縮小し、さらに挿入作業を継続することで、電池接続端子の係止片部が組付用支持材の凹部に嵌入して係合することとなり、慣れや要領を必要とすることなく電池接続端子を組付けることができ、手間や時間を最小限で済ますことができて作業性が向上する。
【００２２】
以下、本発明の実施の形態について、図１〜図５を用いて説明する。
図１〜図４に示すように、本発明の実施の形態にかかる電池接続端子の取付装置は、電池室１に並べて配置された電池２の−電極２ａ側と＋電極２ｂ側とを導通させる導電性線材からなる電池接続端子３として、一端部側に配置されて電池２の−電極２ａに接触する渦巻き形状のコイルバネ端子部４と、他端部側に配置されて電池の＋電極２ｂに接触する接点端子部５と、コイルバネ端子部４と接点端子部５とを一体的に連結する連結部６と、接点端子部５から延設されている係止片部７とを設けている。また、この電池接続端子３を電池室１に臨む姿勢に付ける絶縁性の組付用支持材としての樹脂製のキャビネット１０には、電池接続端子３を保持する一対の保持リブ１１と、電池２の電極２ａ，２ｂ側に向けて突設されて、電池接続端子３の接点端子部５に当接してこの接点端子部５を電池１の＋電極２ｂ側に押し付ける押し付けリブ１２と、電池接続端子３の係止片部７に係合する凹部１３とが一体形成されている。
【００２３】
ここで、電池接続端子３の接点端子部５は、電池２の直径方向Ｄ（図２（ｂ）参照）に対して蛇行するような屈曲形状に形成され、さらに、電池接続端子３の係止片部７は、接点端子部５に続いて蛇行して保持リブ１１間より外側に延長されたフック形状に形成されている。そして、図４に示すように、接点端子部５における電池２の＋電極２ｂとの接触箇所を含む部分およびこの部分に続く連結部６の部分（以下、これらの部分を折曲部５ａ，６ａと称す）が、電池２の＋電極２ｂから離れる方向に向けて弾性変形するように一定の角度で曲げられている。
【００２４】
対となった保持リブ１１は、これらの保持リブ１１同士が所定間隔をあけた状態で、電池２の並べられた方向に沿って延びるように一体形成され、これらの保持リブ１１に形成された溝部１１ａに、電池接続端子３のコイルバネ端子部４における外周部分と、連結部６と、接点端子部５と係止片部７との接続部分とが、それぞれ接触した姿勢で、電池接続端子３が挿入されて挟持されるようになっている。なお、保持リブ１１における連結部６の折曲部６ａ先端部には溝部１１ａが設けられておらず（図５参照）、この折曲部６ａ先端部が電池２の＋電極２ｂから離れる方向に向けて弾性変形可能に構成されている。
【００２５】
押し付けリブ１２は、対となった保持リブ１１間の中間位置で、電池２の並べられた方向に沿って延びるように一体形成されている。また、押し付けリブ１２における、電池接続端子３を保持リブ１１間へ挿入して取り付け始める一端側の箇所には、電池接続端子３の組付挿入時に、コイルバネ端子部４の連結部６への接続部と、接点端子部５とを押し付けリブ１２の頂辺高さに導く端子部案内用の傾斜面１２ａを形成している。さらに、押し付けリブ１２の他端側は、電池接続端子３を保持リブ１１間へ完全に挿入してしまった際に、コイルバネ端子部４の外周端部よりも短くなるような長さに形成されて、電池接続端子３が保持リブ１１間より抜けるような力が作用した場合でも、押し付けリブ１２の他端がコイルバネ端子部４の外周端部に係合して、電池接続端子３の抜け防止を行うようになっている。また、押し付けリブ１２は保持リブ１１の溝部１１ａよりも段差ｅ（図３（ａ）参照）だけ高く構成して、電池接続端子３が保持リブ１１の溝部１１ａから簡単に抜けないようになっている。
【００２６】
さらに、キャビネット１０における、電池接続端子３の組付挿入時に係止片部７が当接する箇所には、電池接続端子３の組付挿入時に接点端子部５および係止片部７をその蛇行形状によって電池２の軸心方向Ｄに対して徐々にたわませて案内する係止片部案内用の傾斜面１４を形成している。
【００２７】
上記構成において、電池接続端子３を電池室１に臨む姿勢に組付ける際には、電池接続端子３を図５に示すような姿勢とした状態で、まず、コイルバネ端子部４を保持リブ１１間に挿入し、引き続いて連結部６と接点端子部５とを保持リブ１１間に挿入してゆく。
【００２８】
この際、電池接続端子３を、保持リブ１１間へ挿入するだけで、端子部案内用の傾斜面１２ａによりコイルバネ端子部４や接点端子部５が押し付けリブ１２の頂辺高さに導かれるため、慣れや要領を必要とすることなく電池接続端子３を組付けることができる。また、コイルバネ端子部４だけでなく接点端子部５も電池１の軸心方向Ｄに対して弾性変形可能であるため、コイルバネ端子部４や接点端子部５を保持リブ１１間に比較的容易に挿入することができる。また、さらに挿入作業を継続することで、電池接続端子３の係止片部７が係止片部案内用の傾斜面１４に案内されて縮小し、最後に係止片部７がキャビネット１０の凹部１３に嵌入して係合することとなる。このように、慣れや要領を必要とすることなく電池接続端子３を組付けることができ、手間や時間を最小限で済ますことができて作業性が良好である。
【００２９】
また、挿入作業を終えた状態では、コイルバネ端子部４の外周端部が押し付けリブ１２を乗り越えて、押し付けリブ１２の他端がコイルバネ端子部４の外周端部に係合しており、また同時に、係止片部７がキャビネット１０の凹部１３に嵌入して係合しているため、電池接続端子３が保持リブ１１間より抜けるような外力が作用した場合でも、電池接続端子３の抜け防止が確実に行われる。
【００３０】
また、挿入作業時に電池接続端子３を保持リブ１１に沿って挿入して行き、コイルバネ端子４の端部が押し付けリブ１２の端部よりも奥へ入り込んだ段階で、電池接続端子３の折曲部５ａ，５ｂは、保持リブ１１の溝部１１ａと押し付けリブ１２とによって曲げが矯正される状態となり、電池２の＋電極２ｂから離れる方向に向けて付勢力が常時生じることになる。また、連結部６は同様に付勢力によって、常に溝部１１ａの一方の面に押し付けられながら、図３（ａ）に示すように、接点端子部５は受けリブ１１との段差ｆを維持することになり、図３（ｂ）に示すように、電池２の＋電極２ｂ側が接点端子部５側に押圧された場合に、電池２の＋電極２ｂが押し付けリブ１２に接触した状態を維持しながら、接点端子部５は常に一定の荷重で電池２の＋電極２ｂに接触することとなる。
【００３１】
この構成において、電池２が電池室１に正しい方向に入れられている場合には、上述のように、電池接続端子３の接点端子部４が押し付けリブ１２に当接して電池２の＋電極２ｂに押し付けられる。一方、電池２が電池室１に誤った方向に入れられると、瞬時にコイルバネ端子４が赤熱しない場合でも、押し付けリブ１２における電池接続端子３の接点端子部５に当接した部分が溶け出すこととなる。この場合に、接点端子部５の電池２の＋電極２ｂとの接触箇所を含む折曲部５ａは、電池２の＋電極２ｂから離れる方向に向けて弾性変形するように曲げられて常に付勢されているので、接点端子部５に当接した部分がさらに溶け、この結果、図２（ａ）や図３（ｂ）において仮想線で示すように、接点端子部５の折曲部５ａが電池２の＋電極２ｂから離れ、電池回路が断たれて、電池２の種類に左右されず発火を確実に防止することができる。
【００３２】
【発明の効果】
以上のように本発明によれば、接点端子部を折曲部により押し付けリブの頂辺に対し付勢当接させたことにより、仮に電池が逆に挿入されて瞬時にコイルバネ端子が赤熱しない場合でも接点端子部の発熱によって、押し付けリブが溶けると同時に、常時かかっている溝部に連結部が嵌入係合することによる連結部側の折曲部の曲げを矯正する付勢力にて電池の＋電極から接点端子部が離反して電池回路を断つという効果が得られ、電池の種類に左右されず発火を防止することができて、信頼性が向上する。
【００３３】
また、溝部に沿って接点端子部を挿入することで押し付けリブの頂辺に当接し始める側に、コイルバネ端子部及び接点端子部をこの頂辺に導く端子部案内用の傾斜面を形成したり、接点端子部の端部から延設し組付用支持材に備える凹部に係合する係止片部を備えたり、この係止片部は接点端子部の蛇行形状に続いて蛇行すると共に、この接点端子部が係合する保持リブの間隔より外側に延長したフック形状に形成し、組付用支持材に対し組付挿入する際にこの係止片部を電池の軸心方向に対して案内する係止片部案内用の傾斜面を形成したりすることで、電池接続端子を容易かつ確実に組付用支持材の保持リブ間に組付けることができ、作業性が向上する。
【図面の簡単な説明】
【図１】  本発明の実施の形態にかかる電池接続端子の取付装置を示す斜視図
【図２】  （ａ）および（ｂ）は、同電池接続端子の取付装置の平面図および正面図
【図３】  （ａ）および（ｂ）は、同電池接続端子の取付装置の側面断面図および側面断面拡大図
【図４】  （ａ）〜（ｄ）は、同電池接続端子の接点端子部の左側面図、平面図、正面図および右側面図
【図５】  同電池接続端子の取付装置における電池接続端子を挿入する状態を示す斜視図
【図６】  （ａ）〜（ｄ）は、従来の電池接続端子の取付装置を示す平面図、正面図、電池接続端子単独の平面図、および側面図
【符号の説明】
１            電池室
２            電池
２ａ          −電極
２ｂ          ＋電極
３            電池接続端子
４            コイルバネ端子部
５            接点端子部
５ａ，６ａ    折曲部
６            連結部
７            係止片部
１０          キャビネット（組付用支持材）
１１          保持リブ
１１ａ        溝部
１２          押し付けリブ
１２ａ        端子部案内用の傾斜面
１３          凹部
１４          係止片部案内用の傾斜面
【図１】
0003942321.tif 000002
【図２】
0003942321.tif 000003
【図３】
0003942321.tif 000004
【図４】
0003942321.tif 000005
【図５】
0003942321.tif 000006
【図６】
0003942321.tif 000007